(57)【要約】【課題】サブアレーアンテナの間隔を一定の増分だけ変化させることにより、サブアレービーム内のグレーティングを有効に抑圧することができるアレーアンテナとその配置方法を提供する。【解決手段】複数の素子アンテナから構成される複数のサブアレーアンテナ４を備え、隣接するサブアレーアンテナ♯ｓ１、・・・、♯ｓＭｓ間の位相中心の間隔ｄ（１）、ｄ（２）、・・・、ｄ（Ｍｓ−１）が配列方向に沿って順次一定の量だけ増加するように配置する。または、隣接するサブアレーアンテナ間の位相中心の間隔が他の隣接するサブアレーアンテナ間の位相中心の間隔の何れか一つに比べ一定の量だけ増加するように配置する。【選択図】図５
2006174108.tif 000002
【特許請求の範囲】
【請求項１】
複数の素子アンテナから構成されるサブアレーアンテナを複数備え、隣接するサブアレーアンテナそれぞれの位相中心間の間隔が配列方向に沿って順次一定の量だけ増加するように配置した
ことを特徴とするアレーアンテナ。
【請求項２】
複数の素子アンテナから構成される複数のサブアレーアンテナを備え、隣接するサブアレーアンテナ間の位相中心の間隔が他の隣接するサブアレーアンテナ間の位相中心の間隔の何れか一つに比べ一定の量だけ増加するように配置した
ことを特徴とするアレーアンテナ。
【請求項３】
請求項２に記載のアレーアンテナにおいて、
上記間隔は、アレーアンテナの中心部の間隔よりも外側の間隔が大きい
ことを特徴とするアレーアンテナ。
【請求項４】
請求項１から３のいずれか１項に記載のアレーアンテナにおいて、
上記間隔の増加量は、グレーティングローブのうちメインローブから最も近い第１のグレーティングローブの方向がサブアレーアンテナの第１のナルよりも外側となるように所定の増加量よりも小さく設定された
ことを特徴とするアレーアンテナ。
【請求項５】
請求項１から３のいずれか１項に記載のアレーアンテナにおいて、
上記間隔の増加量は、グレーティングローブのうちメインローブから最も近い第１のグレーティングローブの方向がサブアレーアンテナの第１のナルと一致するように所定の値に設定された
ことを特徴とするアレーアンテナ。
【請求項６】
請求項４または５に記載のアレーアンテナにおいて、
上記間隔の増加量は、サブアレーアンテナの数に基づいて決定される所定の値よりも大きい
ことを特徴とするアレーアンテナ。
【請求項７】
請求項４または５に記載のアレーアンテナにおいて、
上記間隔の増加量は、サブアレーアンテナの数に基づいて決定される所定の値と一致する
ことを特徴とするアレーアンテナ。
【請求項８】
請求項１から７のいずれか１項に記載のアレーアンテナにおいて、
上記アレーアンテナに所定の励振分布を与える
ことを特徴とするアレーアンテナ。
【請求項９】
複数の素子アンテナから構成される複数のサブアレーアンテナの位相中心が配列される列を複数備えたアレーアンテナにおいて、
各列の隣接するサブアレーアンテナ間の位相中心の間隔が配列方向に沿って順次一定の量だけ増加するように配置した
ことを特徴とするアレーアンテナ。
【請求項１０】
複数の素子アンテナから構成される複数のサブアレーアンテナの位相中心が配列される列を複数備えたアレーアンテナにおいて、
各列の隣接するサブアレーアンテナ間の位相中心の間隔が他の隣接するサブアレーアンテナ間の位相中心の間隔の何れか一つに比べ一定の量だけ増加するように配置した
ことを特徴とするアレーアンテナ。
【請求項１１】
請求項９または１０に記載のアレーアンテナにおいて、
列の間隔は、隣接する他の列の間隔に比べ一定の量だけ増加するように配置した
ことを特徴とするアレーアンテナ。
【請求項１２】
請求項１から１１のいずれか１項に記載のアレーアンテナにおいて、
前記複数のサブアレーアンテナの出力をそれぞれビーム形成方向に応じて遅延時間を可変制御する複数の遅延制御手段を備え、前記複数の遅延制御手段の出力を合成して出力する
ことを特徴とするアレーアンテナ。
【請求項１３】
請求項１から１１のいずれか１項に記載のアレーアンテナにおいて、
上記サブアレーアンテナに代えて指向性のアンテナを用いた
ことを特徴とするアレーアンテナ。
【請求項１４】
複数の素子アンテナから構成される複数のサブアレーアンテナの隣接するサブアレーアンテナの位相中心の間隔が隣接する他のサブアレーアンテナの位相中心の間隔に比べ一定の量だけ増加するように配置し、
前記間隔の増加量を、グレーティングローブのうちメインローブから最も近い第１のグレーティングローブの方向がサブアレーアンテナの第１のナルよりも外側となるように所定の増加量よりも小さく設定すると共に、サブアレーアンテナの数に基づいて決定される所定の値よりも大きく設定する
ことを特徴とするアレーアンテナの配置方法。
【発明の詳細な説明】
【技術分野】
【０００１】
この発明は、アレーアンテナのグレーティングローブを有効に抑圧するアレーアンテナとその配置方法に関するものである。
【背景技術】
【０００２】
従来、この種のアレーアンテナとして、サブアレーアンテナで構成されるアレーアンテナにおいて、グレーティングローブを抑圧するため、サブアレーアンテナのパターンを制御するものがある（例えば、特許文献１参照）。また、限られた範囲に収納するアレーアンテナの素子数を削減するための素子配置方法を開示したものがある（例えば、特許文献２参照）。
【０００３】
【特許文献１】特開２００３−１６８９１２号公報
【特許文献２】特開平９−３０４４９９号公報
【発明の開示】
【発明が解決しようとする課題】
【０００４】
しかしながら、上述した前者のアレーアンテナでは、サブアレーアンテナ間隔が非常に広くサブアレーアンテナのメインビーム内でグレーティングが３つ以上発生する場合にはこれを抑圧できないという課題がある。また、後者のアレーアンテナは、グレーティングローブを抑圧することを目的としたものではないが、例えばサブアレーアンテナで構成されるアレーアンテナの配置に適用した場合、サブアレーアンテナのビーム内のグレーティングを十分に抑圧できないという課題がある。
【０００５】
すなわち、サブアレーアンテナで構成される従来のアレーアンテナでは、サブアレーアンテナ間隔が広い場合にグレーティングローブを生じる課題があった。また、これを抑圧する従来のアレーアンテナでは、グレーティングローブの数が多かったり、サブアレーアンテナとの組み合わせで用いる場合には、サブアレーアンテナのビーム内のグレーティングローブを十分に抑圧できない課題があった。
【０００６】
この発明は上記のような課題を解決するためになされたもので、サブアレーアンテナの間隔を一定の増分だけ変化させることにより、サブアレービーム内のグレーティングを有効に抑圧することができるアレーアンテナとその配置方法を提供することを目的とする。
【課題を解決するための手段】
【０００７】
この発明に係るアレーアンテナは、複数の素子アンテナから構成されるサブアレーアンテナを複数備え、隣接するサブアレーアンテナそれぞれの位相中心間の間隔が配列方向に沿って順次一定の量だけ増加するように配置したことを特徴とする。
【０００８】
また、他の発明に係るアレーアンテナは、複数の素子アンテナから構成される複数のサブアレーアンテナを備え、隣接するサブアレーアンテナ間の位相中心の間隔が他の隣接するサブアレーアンテナ間の位相中心の間隔の何れか一つに比べ一定の量だけ増加するように配置したことを特徴とする。
【０００９】
また、さらに他の発明に係るアレーアンテナは、複数の素子アンテナから構成される複数のサブアレーアンテナの位相中心が配列される列を複数備えたアレーアンテナにおいて、各列の隣接するサブアレーアンテナ間の位相中心の間隔が配列方向に沿って順次一定の量だけ増加するように配置したことを特徴とする。
【００１０】
また、さらに他の発明に係るアレーアンテナは、複数の素子アンテナから構成される複数のサブアレーアンテナの位相中心が配列される列を複数備えたアレーアンテナにおいて、各列の隣接するサブアレーアンテナ間の位相中心の間隔が他の隣接するサブアレーアンテナ間の位相中心の間隔の何れか一つに比べ一定の量だけ増加するように配置したことを特徴とする。
【００１１】
さらに、この発明に係るアレーアンテナの配置方法は、複数の素子アンテナから構成される複数のサブアレーアンテナの隣接するサブアレーアンテナの位相中心の間隔が隣接する他のサブアレーアンテナの位相中心の間隔に比べ一定の量だけ増加するように配置し、前記間隔の増加量を、グレーティングローブのうちメインローブから最も近い第１のグレーティングローブの方向がサブアレーアンテナの第１のナルよりも外側となるように所定の増加量よりも小さく設定すると共に、サブアレーアンテナの数に基づいて決定される所定の値よりも大きく設定することを特徴とする。
【発明の効果】
【００１２】
この発明によれば、隣接するサブアレーアンテナの間隔を一定の量だけ増加させるよう配置することにより、アレーアンテナのグレーティングローブを有効に抑圧することができる。
【発明を実施するための最良の形態】
【００１３】
実施の形態１．
図１は、この発明の実施の形態１に係るアレーアンテナを示す構成図である。図１において、図１に示すアレーアンテナは、複数の素子アンテナ１から構成される複数のサブアレーアンテナ４（＃ｓ１〜＃ｓＭｓ）を備えている。サブアレーアンテナ４、例えばサブアレーアンテナ＃ｓ１は、素子アンテナ＃１−１〜＃１−Ｍｅと、各素子アンテナに接続された移相器２と、複数の移相器２の出力を合成する合成器３とから構成される。他のサブアレーアンテナも同様に構成される。また、図１に示すアレーアンテナは、各サブアレーアンテナに接続された移相器５と、複数の移相器５の出力を合成する合成器６とを備えている。なお、図１では、サブアレーアンテナ数をＭｓとし、それぞれ＃ｓ１〜＃ｓＭｓとする。また、サブアレーアンテナの素子数はＭｅとし、サブアレーアンテナ＃ｓｍｓを構成する素子アンテナをそれぞれ＃１〜＃Ｍｅとする。
【００１４】
また、図２に示すように座標軸および角度φ、θを定義し、サブアレーアンテナの位相中心をｙ軸上に配置し、隣接するサブアレーアンテナ＃ｓｍｓと＃ｓｍｓ−１の位相中心の間隔をｄ（ｍｓ）とする。
【００１５】
図３は、アレーアンテナを構成するアンテナがサブアレーアンテナではなく、１素子のオムニアンテナである場合のアンテナパターンを示したものである。ここでは、次式に示すように、全ての間隔が等しくＤａ＝５０λ（λ：波長）であるとする。
【００１６】
【数１】
2006174108.tif 000003
【００１７】
図３において、φ＝０ｄｅｇ方向がメインローブであるが、間隔が波長に比べ大きく等間隔アレーアンテナである場合には、多くのグレーティングローブを生じる課題がある。グレーティングローブが存在すると、到来波がどの方向から入射しているか分からないばかりか、目標方向以外からの不要波を受信しやすく干渉を受けやすいことになる。このグレーティングローブは、メインローブ以外の方向から入射する電波がメインローブ方向で受信されるのと同じ位相状態になるために生じる。従って、アンテナ間隔が広いほど多くのグレーティングローブを生じることとなり、また、メインローブとグレーティングローブの角度差も近接することになる。
【００１８】
次に、図４は、アレーアンテナの各アンテナが１６素子の１／２・λの等間隔のサブアレーアンテナで構成された場合のアンテナパターンを示したものである。アンテナの間隔条件は、図３に示したものと同じである。このようにアレーアンテナのアンテナパターンは個々のアンテナがオムニアンテナである場合のパターンと、個々のサブアレーアンテナのパターンとの積で与えられることが知られている。ここで、図４におけるパターンのエンベロープは、個々のサブアレーアンテナのパターンと一致していることが分かる。
【００１９】
従来、このような特徴に着目して、サブアレーアンテナのパターンを制御してグレーティングローブの方向でサブアレーアンテナのパターンがナルとなるようにしてグレーティングローブを抑圧する方法があるが、アンテナ間隔が大きく、図４に示すようにサブアレーアンテナのビーム内に多数のグレーティングローブを生じ、かつメインローブとグレーティングローブが近接している場合には、グレーティングローブを抑圧することは出来なくなる。
【００２０】
また、グレーティングローブを抑圧するためにアンテナ間隔をランダムにする方法もあるが、広い入射間隔で一様にグレーティングローブが抑圧されてしまうために、グレーティングローブの抑圧効果は低い。図４の性質から分かるように、サブアレーアンテナのビーム内のグレーティングローブだけが抑圧されていればよく、間隔をランダムとする方法はそれだけ効率が悪いことになる。
【００２１】
以上のような課題を解決するため、この発明では、図５に示すように、サブアレーアンテナの位相中心の間隔が隣接する他の間隔に比べある一定の量δだけ増大するように配置する。すなわち、隣接するサブアレーアンテナ間の位相中心の間隔が配列方向に沿って順次一定の量δだけ増加するように配置する。これを数式で表すと、以下のようになる。
【００２２】
【数２】
2006174108.tif 000004
【００２３】
図５において、四角状の記号はサブアレーを表しており、サブアレーアンテナの数は１６である。また、サブアレーアンテナを構成する素子数は１６である。ここで、アレーアンテナを構成するアンテナがオムニアンテナである場合のアンテナパターンを図６に示す。図６では、図３と同じようにアンテナ間隔の平均Ｄａは５０λとしている。したがって、アレーアンテナ全体の開口径は同じである。また、式（２）におけるδはアンテナ間隔の平均Ｄａの６．２５％としている。図６をみると、図３に比べてメインローブと近接する方向のグレーティングローブが有効に抑圧されていることが分かる。また、抑圧されずに残るグレーティングローブも存在していることが分かる。このグレーティングローブのうちメインローブ（０度方向）から最も近いものを第１のグレーティングローブと呼ぶことにする。
【００２４】
第１のグレーティングローブの出現する方向は、式（２）における増分δにより決定される。すなわち、各アンテナ間隔は、増分δだけ異なるので、この増分のアンテナ間隔に対応する受信位相差が入射方向により２π回転するとき、第１のグレーティングローブとなる。アンテナを等間隔に配置する場合は、アンテナ間隔の平均Ｄａに応じてグレーティングローブを生じるが、この発明の方法、つまりアンテナ間隔を一定量δだけ増加させる方法では、増分δに応じてグレーティングローブが出る方向を制御できることになる。増分δは、アンテナ間隔の平均Ｄａに比べ十分小さく設定することができるので、第１のグレーティングローブとメインローブの角度差がその分広くなることになる。アンテナ間隔の平均Ｄａに対する増分δの比率Ｓｒは次式で与えられる。
【００２５】
【数３】
2006174108.tif 000005
【００２６】
このとき、図６における第１のグレーティングローブとメインローブの角度差は、図３に示した等間隔配置の場合に比べ、１／Ｓｒ倍広がった位置に生じることとなる。図６では、比率Ｓｒを０．０６２５としているので、図３のグレーティングローブの１６個おきに抑圧されないものが残ることになる。
【００２７】
図７は、アレーアンテナの各アンテナが１６素子の１／２・λ等間隔のサブアレーアンテナで構成された場合のアンテナパターンを示したものである。このとき、図４の場合と同様に、図６のアンテナパターンに対してサブアレーアンテナのパターンを乗じたパターンとなっていることが分かる。このように、図６におけるサブアレーアンテナのビーム外のグレーティングローブはサブアレーアンテナのパターンにより抑圧されるので、図６においてサブアレーアンテナのビーム外にグレーティングローブを生じてもよいことがわかる。逆に、グレーティングローブを一部に生成することによって、それ以外のメインビームに近接した部分のゲインを下げることができるので、ランダム配置のアレーアンテナなどに比べてよりサブアレーアンテナのビーム内のゲインを下げることができる。さらに、ランダム配置では、ゲインが高くなる方位の予測が難しいが、この発明のアレーアンテナでは、メインローブ近傍のグレーティングローブを確実に抑圧できる効果もある。
【００２８】
ここで、サブアレーアンテナのパターンにおける第１のナルの方向と、図６に示すようにこの発明の式（２）による配置でアンテナがオムニアンテナである場合の第１のグレーティングローブが一致する条件は次式で与えられる。
【００２９】
【数４】
2006174108.tif 000006
【００３０】
この発明におけるアンテナ配置では、比率Ｓｒを式（４）の右辺の値と一致させるか、これよりも小さくすることにより、第１のグレーティングローブをサブアレーアンテナのパターンよりも外側にすることができるので、サブアレービーム内のグレーティングローブを有効に抑圧することができる。
【００３１】
すなわち、隣接するサブアレーアンテナ間の位相中心の間隔の増加量を、グレーティングローブのうちメインローブから最も近い第１のグレーティングローブの方向がサブアレーアンテナの第１のナルと一致するように所定の値に設定するか、第１のナルよりも外側となるように所定の増加量よりも小さく設定することにより、サブアレービーム内のグレーティングローブを有効に抑圧することができる。
【００３２】
なお、ここでは、アレーアンテナを構成するアンテナをサブアレーアンテナとした場合について説明したが、指向性アンテナを用い、指向性アンテナのビーム外に第１のグレーティングローブを生じるように構成してもよい。
【００３３】
実施の形態２．
図８は、この発明の実施の形態２に係るアレーアンテナのアンテナの配列方法を示したものである。四角状の記号は、図５と同様にサブアレーを表しており、サブアレーアンテナの数は１６である。また、サブアレーアンテナを構成する素子数は１６である。アンテナ間隔の組み合わせは図５と同じであり、その順序だけが異なっている。すなわち、増分δをアンテナ間隔の平均Ｄａの６．２５％としてｄ（１）〜ｄ（Ｍｓ−２）の組み合わせを求め、順序だけを変えた場合であり、隣接するサブアレーアンテナ間の位相中心の間隔が他の隣接するサブアレーアンテナ間の位相中心の間隔の何れか一つに比べ一定の量δだけ増加するように配置した場合である。
【００３４】
また、図９は、図８に示すアンテナ配置によるアレーアンテナのアンテナパターンである。この図９に示すアンテナパターンは、図７と同様のパターンとなっており、第１のグレーティングローブをサブアレーアンテナのパターンよりも外側にすることができるので、サブアレービーム内のグレーティングローブを有効に抑圧することができることがわかる。
【００３５】
また、同様にアンテナ間隔の順序を変えて、中心部分の間隔が密になり、外側の間隔が疎になるように、アレーアンテナの中心部の間隔よりも外側の間隔を大きくするよう配置してもよく、この場合、グレーティングローブ間のゲインを下げる効果がある。
【００３６】
また、実施の形態１と同様に、隣接するサブアレーアンテナ間の位相中心の間隔の増加量を、グレーティングローブのうちメインローブから最も近い第１のグレーティングローブの方向がサブアレーアンテナの第１のナルと一致するように所定の値に設定するか、第１のナルよりも外側となるように所定の増加量よりも小さく設定することにより、サブアレービーム内のグレーティングローブを有効に抑圧することができる。
【００３７】
さらに、実施の形態１と同様に、アレーアンテナを構成するアンテナをサブアレーアンテナではなく、指向性アンテナを用いて構成してもよい。
【００３８】
実施の形態３．
図１０は、この発明の実施の形態３に係るもので、比率Ｓｒを１％とした場合のアンテナパターンを示したものである。この例では、式（４）で示した値よりも比率Ｓｒを小さくしているので、グレーティングローブをサブアレーアンテナのパターンよりも外側にすることができるが、メインローブの近傍に不要なローブを生じることが分かる。このように、式（４）で示した値よりも比率Ｓｒを小さくしても、不要なローブを生じる場合が有りうることがわかる。そこで、図４に示した等間隔分散アレーにおける第１ローブを最小化するシフト率について考察する。シフト量δによる位相回転がバラつくように設計すればよく、第１ローブを最小化する最適なシフト率は式（５）のようになる。グレーティングローブがサブアレーのメインローブ内に入らないためには、比率Ｓｒを式（４）よりも小さくする必要があるので、結局シフト率は式（６）の範囲内で設定するとよい。
【００３９】
【数５】
2006174108.tif 000007
【００４０】
前述したように比率Ｓｒは、メインローブ近傍のローブを最小化できる式（５）のように設定した場合に、最も有効にサブアレービーム内のグレーティングローブを抑圧することができる。図１１は、サブアレー数が１６の場合において、シフト率Ｓｒが式（５）を満たす１／１５＝０．０６６７とした場合のアンテナパターンを示したものである。同条件でシフト率が異なる図７に比べ、特性は近いもののメインローブと近接するローブが有効に抑圧される。
【００４１】
すなわち、隣接するアレーアンテナ間の位相中心の間隔の増加量を、サブアレーアンテナの数に基づいて決定される所定の値よりも大きいか、サブアレーアンテナの数に基づいて決定される所定の値と一致するように設定することにより、サブアレービーム内のグレーティングローブを抑圧することができる。
【００４２】
また、本実施の形態３も、実施の形態１と同様に、アレーアンテナを構成するアンテナをサブアレーアンテナではなく、指向性アンテナを用いて構成してもよい。
【００４３】
実施の形態４．
この発明のアレーアンテナは、アンテナ全体に通常サイドローブを下げる目的で用いられる、励振分布として、チェビシェフ分布やテイラー分布などを乗じて用いてもよい。このような分布関数をアレーアンテナに乗じることにより、実施の形態１の効果に加え、グレーティングローブ間のゲインを下げることができる。
【００４４】
実施の形態５．
これまで、サブアレーアンテナの１次元の配列について説明してきたが、例えば、２次元面内の各軸方向において、式（２）のようなアンテナ間隔となるようにしてもよい。この場合、図２で示した座標軸における角度φ方向だけではなく、角度θ方向のグレーティングローブも抑圧することができる。
【００４５】
例えば、ｚ軸方向のアンテナ間隔を十分小さく配置できる場合や、角度θ方向の覆域が小さい場合には、図１２に示すように、ｚ軸方向を等間隔とし、ｙ方向だけを式（２）に示す配置としてもよい。各行（ｙ方向）は同じ配列としてもよいし、図１２に示すように、アンテナ間隔の組み合わせは同じであるが、その順序が異なるように配置してもよい。この場合、角度θ方向でグレーティングローブを生じることはなく、角度φ方向において実施の形態１と同様にサブアレーアンテナのビーム内のグレーティングローブを有効に抑圧することができる。
【００４６】
ｚ軸方向のアンテナ間隔も大きくする必要があり、サブアレーアンテナが２次元配置である場合には、図１３に示すように、ｙ軸方向だけでなくｚ軸方向も式（２）に示すようにアンテナ間隔を決定することにより、角度θ方向においてもサブアレーアンテナのビーム内のグレーティングローブを有効に抑圧することができる。このとき、ｙ軸とｚ軸のアンテナ配置方法は同じとしてもよいし、アンテナ間隔の順序を入れ替えて異なるアンテナ配置に設定してもよい。
【００４７】
以上説明したように、この発明のアレーアンテナでは、本実施の形態５のように、２次元に配列する場合に適用でき、サブアレーアンテナのビーム内のグレーティングローブを有効に抑圧することができる。
【００４８】
また、本実施の形態５も、実施の形態１と同様に、アレーアンテナを構成するアンテナをサブアレーアンテナではなく、指向性アンテナを用いて構成してもよい。
【００４９】
実施の形態６．
図１４は、この発明の実施の形態６に係るアレーアンテナの構成図である。図１４に示す実施の形態６において、図１に示す実施の形態１と同一部分は同一符号を付してその説明は省略する。図１４に示す実施の形態６は、図１に示す実施の形態１の移相器５に代わり、ビーム形成方向に応じて遅延時間を可変で制御できる遅延制御装置７を用いている点だけが異なる。アレーアンテナを構成するサブアレーアンテナの位相中心を、実施の形態１と同様に配置することにより、サブアレーアンテナのビーム内におけるグレーティングローブを有効に抑圧することができる。
【００５０】
また、これまでの位相制御方式のアレーアンテナでは、パルスレーダやサブアレー間隔の非常に広い分散アレーシステムに適用する場合、受信波をアンテナ数分合成できず、利得が低下する問題があったが、本実施の形態６では、遅延制御装置７によりビームを形成するので、非常に短いパルス波にも対応でき、サブアレーアンテナ間隔が広い場合にも有効にビームを形成できる利点がある。このような遅延制御装置７と式（２）によるアンテナ配置を備えたアレーアンテナを短いパルス波のパルスレーダに適用することにより、有効にビーム形成ができるとともに、広角のサイドローブを抑圧できる効果もある。
【００５１】
図１５は、パルスレーダに本実施の形態６のアレーアンテナを適用した場合のアンテナパターンを示したものであるが、有効にビームが形成出来ているとともに、広角のサイドローブが実施の形態１で示した図７に比べ低下していることがわかる。
【００５２】
また、本実施の形態６も、実施の形態１と同様に、アレーアンテナを構成するアンテナをサブアレーアンテナではなく、指向性アンテナを用いて構成してもよい。
【図面の簡単な説明】
【００５３】
【図１】この発明の実施の形態１に係るアレーアンテナを示す構成図である。
【図２】この発明の実施の形態１に係るサブアレーアンテナの配置の説明図である。
【図３】アレーアンテナを構成するアンテナがサブアレーアンテナではなく、１素子のオムニアンテナである場合のアンテナパターンを示す図である。
【図４】アレーアンテナの各アンテナが１６素子の１／２・λの等間隔のサブアレーアンテナで構成された場合のアンテナパターンを示す図である。
【図５】サブアレーアンテナの位相中心の間隔が隣接する他の間隔に比べある一定の量δだけ増大するように配置した説明図である。
【図６】アレーアンテナを構成するアンテナがオムニアンテナである場合のアンテナパターンを図である。
【図７】アレーアンテナの各アンテナが１６素子の１／２・λ等間隔のサブアレーアンテナで構成された場合のアンテナパターンを示す図である。
【図８】この発明の実施の形態２に係るアレーアンテナのアンテナの配列方法を示す図である。
【図９】図８に示すアンテナ配置によるアレーアンテナのアンテナパターンを示す図である。
【図１０】この発明の実施の形態３に係るもので、比率Ｓｒを１％とした場合のアンテナパターンを示す図である。
【図１１】この発明の実施の形態３に係るもので、比率Ｓｒを１／１５とした場合のアンテナパターンを示す図である。
【図１２】この発明の実施の形態５に係るアレーアンテナのアンテナの配列方法を説明するもので、サブアレーアンテナが２次元配置である場合に、ｚ軸方向を等間隔とし、ｙ方向だけを式（２）に示す配置とした図である。
【図１３】この発明の実施の形態５に係るアレーアンテナのアンテナの配列方法を説明するもので、サブアレーアンテナが２次元配置である場合に、ｙ軸方向だけでなくｚ軸方向も式（２）に示す配置とした図である。
【図１４】この発明の実施の形態６に係るアレーアンテナの構成図である。
【図１５】この発明の実施の形態６に係るアレーアンテナをパルスレーダに適用した場合のアンテナパターンを示す図である。
【符号の説明】
【００５４】
１  サブアレーアンテナを構成する素子アンテナ、２  移相器、３  合成器、４  サブアレーアンテナ、５  移相器、６  合成器、７  遅延制御装置。
【図１】
2006174108.tif 000008
【図２】
2006174108.tif 000009
【図３】
2006174108.tif 000010
【図４】
2006174108.tif 000011
【図５】
2006174108.tif 000012
【図６】
2006174108.tif 000013
【図７】
2006174108.tif 000014
【図８】
2006174108.tif 000015
【図９】
2006174108.tif 000016
【図１０】
2006174108.tif 000017
【図１１】
2006174108.tif 000018
【図１２】
2006174108.tif 000019
【図１３】
2006174108.tif 000020
【図１４】
2006174108.tif 000021
【図１５】
2006174108.tif 000022